(57)【要約】【課題】明るい映像を表示する時には消費電力を低減し、暗い映像を表示する時には輝度ムラを解消する「表示装置及びその表示方法」を提供することである。【解決手段】映像情報を表示する表示装置において、照射光が強い第１の発光ダイオード（ＬＥＤ１）と、照射光が弱い第２の発光ダイオード（ＬＥＤ３）とを交互に配置し、映像情報の１画面内の平均輝度値を算出し、平均輝度値が所定値以上であるか判定する。平均輝度値が所定値以上であれば、ＬＥＤ１のみを発光し、平均輝度値が所定値未満であれば、ＬＥＤ１とＬＥＤ３とを発光する。【選択図】図１
2007225871.tif 000002
【特許請求の範囲】
【請求項１】
映像情報を表示する表示装置において、
前記映像情報の１画面内の平均輝度値を算出する平均輝度値算出部と、
照射光が強い第１の発光ダイオードと、照射光が弱い第２の発光ダイオードとを交互に配置したバックライト部と、
前記平均輝度値算出部で算出された平均輝度値が所定値以上であるか判定し、前記平均輝度値が所定値以上であれば、前記第１の発光ダイオードを発光するように指示し、前記平均輝度値が所定値未満であれば、前記第１の発光ダイオードと前記第２の発光ダイオードとを発光するように指示する制御部と、
前記制御部の指示に基づいて、前記第１の発光ダイオードと前記第２の発光ダイオードとの発光状態を調整する発光調整部とを備える、
ことを特徴とする表示装置。
【請求項２】
映像情報を表示する表示装置において、
前記映像情報に含まれる非表示領域を検出する非表示領域検出部と、
照射光が強い第１の発光ダイオードと、照射光が弱い第２の発光ダイオードとを交互に配置したバックライト部と、
前記非表示領域検出部で非表示領域が検出された場合、前記第１の発光ダイオードと前記第２の発光ダイオードとを発光するように指示し、前記非表示領域が検出されない場合、前記第１の発光ダイオードを発光するように指示する制御部と、
前記制御部の指示に基づいて、前記第１の発光ダイオードと前記第２の発光ダイオードとの発光状態を調整する発光調整部とを備える、
ことを特徴とする表示装置。
【請求項３】
前記制御部は前記非表示領域に対応する領域では前記第１の発光ダイオードと前記第２の発光ダイオードとを発光するように指示し、非表示領域に対応しない領域では前記第１の発光ダイオードを発光するように指示する、
ことを特徴とする請求項２に記載の表示装置。
【請求項４】
映像情報を表示する表示装置の表示方法において、
照射光が強い第１の発光ダイオードと、照射光が弱い第２の発光ダイオードとを交互に配置し、
前記映像情報の１画面内の平均輝度値を算出し、
前記平均輝度値が所定値以上であるか判定し、
前記平均輝度値が所定値以上であれば、前記第１の発光ダイオードを発光し、前記平均輝度値が所定値未満であれば、前記第１の発光ダイオードと前記第２の発光ダイオードとを発光する、
ことを特徴とする表示装置の表示方法。
【請求項５】
映像情報を表示する表示装置の表示方法において、
照射光が強い第１の発光ダイオードと、照射光が弱い第２の発光ダイオードとを交互に配置し、
前記映像情報に含まれる非表示領域を検出し、
前記非表示領域が検出された場合、前記第１の発光ダイオードと前記第２の発光ダイオードとを発光し、前記非表示領域が検出されない場合、前記第１の発光ダイオードを発光する、
ことを特徴とする表示装置の表示方法。
【請求項６】
前記非表示領域が検出された場合、前記非表示領域に対応する領域では前記第１の発光ダイオードと前記第２の発光ダイオードとを発光し、非表示領域に対応しない領域では前記第１の発光ダイオードを発光する、
ことを特徴とする請求項５記載の表示装置の表示方法。
【発明の詳細な説明】
【技術分野】
【０００１】
本発明は、表示装置及びその表示方法に係わり、特に映像情報を表示する表示装置及びその表示方法に関する。
【背景技術】
【０００２】
近年、パーソナルコンピュータや携帯電話、ナビゲーションシステム等の電子機器の表示装置として、液晶表示装置（ＬＣＤ）の普及が著しい。このような電子機器に適用される液晶表示装置は、一般に、透過型の表示パネルの背面側に照明装置（バックライト）を備えた構成が適用されており、映像情報が表示された表示パネルに照射光を照射することにより視認性を向上させている。
【０００３】
図１０は従来のバックライトの概略図であり、（Ａ）はバックライトの簡略構成図、（Ｂ）は導光板の上面の方向からバックライトを見た図である。また、図示しないが導光板の上面側にＬＣＤが配置されている。
バックライトは、図１０（Ａ）に示すように、白色発光ダイオード（ＬＥＤ）５０を複数配置した光源と、導光板５２等で構成されている。バックライトは、ＬＥＤ５０から発光された光が導光板の側面５４から内部に入射して、導光板の上面５６を介して出射することによって面状の光に変換し、ＬＣＤを照射している。このようなバックライトにおいて、その輝度の均一性が要求されるが、図１０（Ｂ）に示すように、光源近傍付近５８は光源からの光が到達しておらず輝度ムラを発生させる要因となっていた。また、映像表示に際して、光源のＬＥＤ５０を全て発光させていたため、バックライトの消費電力が大きくなっていた。
【０００４】
第１の従来技術として、図１１に示すように、広指向角ＬＥＤ６０と狭指向角ＬＥＤ６２を交互に配置した光源を備え、これらの光を導光板６４に入射するバックライトが提案されている（特許文献１参照）。この技術によれば、光源近傍付近６６に狭指向角ＬＥＤ６２の光が到達し、光源近傍付近６６の輝度ムラを解消できる。第２の従来技術として、図１２に示すように特殊な映像（例えばレターボックスを有する映像）を表示する際に、バックライトから照射される照射光の照度を変化させるバックライトが提案されている（特許文献２参照）。具体的には、映像からレターボックスの有無を検出し、レターボックスに対応するＬＥＤ７及びＬＥＤ１２の照度を弱くし、映像領域に対応するＬＥＤ８〜１１の照度を通常とする。この技術によれば、バックライトの消費電力を低減することができる。
【特許文献１】特開２００４−３０３５７８号公報
【特許文献２】特開２００４−２１２５０３号公報
【発明の開示】
【発明が解決しようとする課題】
【０００５】
しかしながら、第１の従来技術では、光源近傍付近の輝度ムラを解消できるものの、輝度ムラを認識しにくい映像（例えば輝度値が高く明るい映像）を表示する時にも、全ての広指向角ＬＥＤと狭指向角ＬＥＤとを発光させていたため、バックライトの消費電力が大きくなっていた。第２の従来技術では、個々のＬＥＤの照射光の強さを制御することにより、消費電力は低減できるものの、光源近傍付近の輝度ムラを解消することはできない。
【０００６】
従って、本発明の目的は、明るい映像を表示する時には消費電力を低減し、暗い映像を表示する時には輝度ムラを解消する表示装置及びその表示方法を提供することである。
【課題を解決するための手段】
【０００７】
上記課題は本発明によれば、映像情報を表示する表示装置において、前記映像情報の１画面内の平均輝度値を算出する平均輝度値算出部と、照射光が強い第１の発光ダイオードと、照射光が弱い第２の発光ダイオードとを交互に配置したバックライト部と、前記平均輝度値算出部で算出された平均輝度値が所定値以上であるか判定し、前記平均輝度値が所定値以上であれば、前記第１の発光ダイオードを発光するように指示し、前記平均輝度値が所定値未満であれば、前記第１の発光ダイオードと前記第２の発光ダイオードとを発光するように指示する制御部と、前記制御部の指示に基づいて、前記第１の発光ダイオードと前記第２の発光ダイオードとの発光状態を調整する発光調整部とを備える表示装置により達成される。
【０００８】
上記課題は本発明によれば、映像情報を表示する表示装置において、前記映像情報に含まれる非表示領域を検出する非表示領域検出部と、照射光が強い第１の発光ダイオードと、照射光が弱い第２の発光ダイオードとを交互に配置したバックライト部と、前記非表示領域検出部で非表示領域が検出された場合、前記第１の発光ダイオードと前記第２の発光ダイオードとを発光するように指示し、前記非表示領域が検出されない場合、前記第１の発光ダイオードを発光するように指示する制御部と、前記制御部の指示に基づいて、前記第１の発光ダイオードと前記第２の発光ダイオードとの発光状態を調整する発光調整部とを備える表示装置により達成される。
【０００９】
前記制御部は前記非表示領域に対応する領域では前記第１の発光ダイオードと前記第２の発光ダイオードとを発光するように指示し、非表示領域に対応しない領域では前記第１の発光ダイオードを発光するように指示する。
【００１０】
上記課題は本発明によれば、映像情報を表示する表示装置の表示方法において、照射光が強い第１の発光ダイオードと、照射光が弱い第２の発光ダイオードとを交互に配置し、前記映像情報の１画面内の平均輝度値を算出し、前記平均輝度値が所定値以上であるか判定し、前記平均輝度値が所定値以上であれば、前記第１の発光ダイオードを発光し、前記平均輝度値が所定値未満であれば、前記第１の発光ダイオードと前記第２の発光ダイオードとを発光する表示装置の表示方法により達成される。
【００１１】
上記課題は本発明によれば、映像情報を表示する表示装置の表示方法において、照射光が強い第１の発光ダイオードと、照射光が弱い第２の発光ダイオードとを交互に配置し、前記映像情報に含まれる非表示領域を検出し、前記非表示領域が検出された場合、前記第１の発光ダイオードと前記第２の発光ダイオードとを発光し、前記非表示領域が検出されない場合、前記第１の発光ダイオードを発光する表示装置の表示方法により達成される。
【００１２】
上記課題は本発明によれば、前記非表示領域が検出された場合、前記非表示領域に対応する領域では前記第１の発光ダイオードと前記第２の発光ダイオードとを発光し、非表示領域に対応しない領域では前記第１の発光ダイオードを発光する。
【発明の効果】
【００１３】
本発明によれば、照射光が強い第１の発光ダイオードと、照射光が弱い第２の発光ダイオードとを交互に配置し、前記映像情報の１画面内の平均輝度値を算出し、前記平均輝度値が所定値以上であるか判定し、前記平均輝度値が所定値以上であれば、前記第１の発光ダイオードを発光し、前記平均輝度値が所定値未満であれば、前記第１の発光ダイオードと前記第２の発光ダイオードとを発光するように構成したため、輝度ムラを認識しにくい明るい映像を表示する時には消費電力を低減し、輝度ムラを認識しやすい暗い映像を表示する時には輝度ムラを解消することができる。
【００１４】
本発明によれば、照射光が強い第１の発光ダイオードと、照射光が弱い第２の発光ダイオードとを交互に配置し、前記映像情報に含まれる非表示領域を検出し、前記非表示領域が検出された場合、前記第１の発光ダイオードと前記第２の発光ダイオードとを発光し、前記非表示領域が検出されない場合、前記第１の発光ダイオードのみを発光するように構成したため、非表示領域が含まれる映像に対し、輝度ムラを解消することができる。また、非表示領域を含まない映像に対しては、前記第１の発光ダイオードのみを発光するだけでよいため消費電力を低減することができる。
【００１５】
本発明によれば、前記非表示領域が検出された場合、前記非表示領域に対応する領域では前記第１の発光ダイオードと前記第２の発光ダイオードとを発光し、非表示領域に対応しない領域では前記第１の発光ダイオードのみを発光するように構成したため、非表示領域では輝度ムラを解消し、非表示領域ではない領域は消費電力を低減することができる。
【発明を実施するための最良の形態】
【００１６】
（Ａ）本発明の概略
図１は本発明の概略図である。
表示装置は照射光が強いＬＥＤ１と、照射光が弱いＬＥＤ３とを交互に配置して光源を構成する。表示装置にはＤＶＤプレーヤ等の映像再生機から映像信号が入力され、この映像信号から平均輝度値を算出して、この平均輝度値が所定値以上であるか判定する。この平均輝度値が所定値以上であれば、表示装置は上記映像を輝度ムラが認識しにくい明るい映像であると判定し、照射光が強いＬＥＤ１のみを発光し、導光板５を介して図示しないＬＣＤを照射する（図１（Ａ）参照）。一方、この平均輝度値が所定値以上でなければ、表示装置は上記映像を輝度ムラが認識しやすい暗い映像であると判定し、照射光が強いＬＥＤ１と照射光が弱いＬＥＤ３とを発光し、導光板５を介して図示しないＬＣＤを照射する（図１（Ｂ）参照）。これにより、輝度ムラを認識しにくい明るい映像を表示する時には消費電力を低減し、輝度ムラを認識しやすい暗い映像を表示する時には輝度ムラを解消することができる。
【００１７】
（Ｂ）本発明におけるバックライトの構成
図２はＬＣＤを照射するバックライトの構成を説明する分解図である。
図２に示すように、バックライトは、大別して、平面光源ユニット１０と、発光調整部１２とを備えて構成する。
平面光源ユニット１０は、ＬＣＤ１４の形状に対応する平面形状であり、導光板１０ａと、導光板１０ａの底面側（ＬＣＤ１４側とは反対側）に配置した反射板１０ｂと、導光板１０ａの上面側(ＬＣＤ１４側)に配置した拡散板１０ｃと、導光板１０ａの側面に沿って、照射光の強いＬＥＤ１と照射光の弱いＬＥＤ３とを交互に配置した光源１０ｄとを備えて構成する。このような平面光源ユニット１０において、光源部１０ｄから発光された光が、導光板１０ａの側面から内部に入射して反射を繰り返し、拡散板１０ｃを介して出射することにより、ＬＣＤ１４の背面側から照射する。
また、発光調整部１２は図示しない制御部からの発光制御信号に基づいて、上記光源部１０ｄを構成するＬＥＤ１及びＬＥＤ３を制御するように構成されている。ここで、発光調整部１２によるＬＥＤ１及びＬＥＤ３の発光の制御は、ＬＣＤ１４に明るい映像を表示する場合には、光源部１０ｄを構成するＬＥＤ１のみを発光させてＬＣＤ１４に照射光を照射する。また、ＬＣＤ１４に暗い映像を表示する場合には、光源部１０ｄを構成するＬＥＤ１とＬＥＤ３とを発光させて、ＬＣＤ１４に照射光を照射する。
【００１８】
図３は本発明におけるバックライトの回路例を示す回路構成図である。
照射光の強いＬＥＤ１と照射光の弱いＬＥＤ３とを交互に配置し、各アノード端子は共通の接点Ｎａにおいて並列に接続して光源部１０ｄを構成する（ここでは、便宜的にＬＥＤ１及びＬＥＤ３ともに３個の場合を示す）。そして、各ＬＥＤ１のカソード端子は共通の接点Ｎｂを介して接地電位に接続した抵抗Ｒ１に接続される。各ＬＥＤ３のカソード端子はスイッチＳＷ（発光調整部１２）の一端に接続され、該スイッチＳＷの他端は共通の接点Ｎｂを介して接地電位に接続した抵抗Ｒ３に接続される。但し、ＬＥＤ１に接続した抵抗Ｒ１の抵抗値はＬＥＤ３に接続した抵抗Ｒ３の抵抗値より小さい抵抗を使用する。これにより、ＬＥＤ１にはＬＥＤ３より大きな電流が流れることになり、照射光の強いＬＥＤ１と照射光の弱いＬＥＤ３とが実現できる。駆動電源ＢＴは正極を上記接点Ｎａに接続し、負極を接地電位に接続する。
発光調整部１２は制御部１６からの発光制御信号に基づいてスイッチＳＷのオンオフを切替動作する。具体的には、映像処理部１４は映像信号から１画面内の平均輝度値を算出し、この平均輝度値を制御部１６に入力する。制御部１６はこの平均輝度値が所定値以上であるかを判定し、この平均輝度値が所定値以上であれば、上記映像は輝度ムラを認識しにくい明るい映像であると判定し、ＬＥＤ１のみを発光するように発光調整部１２に指示し、平均輝度値が所定値以上でなければ、上記映像は輝度ムラを認識しやすい暗い映像であると判定し、ＬＥＤ１とＬＥＤ３とを発光するように発光調整部１２に指示する。これにより発光調整部１２はこの指示に基づいて、上記映像が明るい映像であれば、スイッチＳＷをオフしてＬＥＤ３を発光させず、上記映像が暗い映像であればスイッチＳＷをオンしてＬＥＤ３を発光させる。
【００１９】
（Ｃ）本発明における表示装置の構成
図４は本発明における表示装置の構成図であり、バックライトは図３に示したバックライトを使用する。
図示しないＤＶＤプレーヤ等の映像再生機からの映像信号は、映像保持部２０と映像処理部２２とに入力される。映像処理部２２はこの映像信号から１画面内の平均輝度値を算出し、この平均輝度値を制御部２４に入力するとともに、平均輝度値算出処理が終了したことをタイミング信号生成部２６に指示する。この指示に基づいて、タイミング信号生成部２６はタイミング信号を生成し、この信号を制御部２４に入力する。制御部２４は映像処理部２２からの平均輝度値が所定値以上であるか判定する。上記平均輝度値が所定値以上であれば、照射光の強いＬＥＤのみを発光するようにバックライト部３０に指示し、平均輝度値が所定値以上でなければ、全てのＬＥＤを発光するようにバックライト部３０に指示する。これにより、バックライト部３０はＬＥＤの発光調整を１画面表示毎に行う。また、制御部２４はタイミング信号生成部２６からのタイミング信号に基づいて、ソースドライバ２８及びゲートドライバ３２における動作タイミングを制御する制御信号（水平制御信号、垂直制御信号）を生成し、水平制御信号をソースドライバ２８に出力し、垂直制御信号をゲートドライバ３２に出力する。ソースドライバ２８は制御部２４からの水平制御信号に基づいて、ＬＣＤ３４の１行分の映像信号を映像保持部２０から順次取り込み保持する。一方、ゲートドライバ３２は制御部２４からの垂直制御信号に基づいて、ＬＣＤ３４に配置された各走査ラインＳＬに走査信号を順次印加して各行の表示画素Ｐｘ群を選択状態とする。ソースドライバ２８は、各行の表示画素Ｐｘ群の選択タイミングに同期して、上記保持した映像信号に対応する映像信号電圧を、各データラインＤＬを介して各表示画素Ｐｘに一斉に供給する。このような一連の動作を、１画面分の各行に対して繰り返し実行することにより、上記映像信号に基づく所望の映像情報がＬＣＤ３４に表示される。このとき、上記１画面分の映像情報の表示タイミングに同期してバックライトを発光させ、バックライト部３０からの照射光をＬＣＤ３４の視野側に透過させることにより、上記映像情報がユーザに視認される。
【００２０】
（Ｄ）本発明における第１の発光調整処理
本発明における第１の発光調整処理では、映像情報の１画面内の平均輝度値を算出し、この平均輝度値に応じてバックライトの発光を調整する。
図５は本発明における第１の発光調整処理を示すフローチャートである。
図示しない映像再生機から１画面分の映像信号が映像保持部２０及び映像処理部２２に入力される（ステップＳ１）。映像処理部２２は上記映像信号から平均輝度値を算出し、この平均輝度値を制御部２４に入力する（ステップＳ２）。制御部２４はこの平均輝度値が所定値Ｔｈ以上であるか判定する（ステップＳ３）。この平均輝度値が所定値Ｔｈ以上であれば、制御部２４は上記映像を明るい映像であると認識し、照射光の強いＬＥＤのみを発光するようにバックライト部３０に指示し、バックライト部３０の発光調整部１２（図３）はスイッチＳＷをオフし、照射光の強いＬＥＤ１のみ発光させる（ステップＳ４）。これにより、明るい映像が入力された場合にはバックライト部３０は図１（Ａ）に示すように動作する。一方、この平均輝度値が所定値Ｔｈ以上でなければ、制御部２４は上記映像を暗い映像であると認識し、全てのＬＥＤを発光するようにバックライト部３０に指示し、バックライト部３０の発光調整部１２はスイッチＳＷをオンし、全てのＬＥＤ（照射光の強いＬＥＤ１と照射光の弱いＬＥＤ３）を発光させる（ステップＳ５）。これにより、明るい映像が入力された場合にはバックライト部３０は図１（Ｂ）に示すように動作する。以降、映像再生機から１画面分の映像信号がないかを判定し（ステップＳ６）、映像再生機から１画面分の映像信号がなければ、発光調整処理を終了し、映像再生機から１画面分の映像信号があれば、ステップＳ１〜ステップＳ５の処理を繰り返す。
【００２１】
上記第１の発光調整処理によれば、映像情報の１画面内の平均輝度値を算出し、前記平均輝度値が所定値以上であるか判定し、前記平均輝度値が所定値以上であれば、照射光の強いＬＥＤのみを発光させ、前記平均輝度値が所定値未満であれば、全てのＬＥＤを発光させるため、輝度ムラを認識しにくい明るい映像を表示する時には消費電力を低減し、輝度ムラを認識しやすい暗い映像を表示する時には輝度ムラを解消することができる。
【００２２】
（Ｅ）本発明における第２の発光調整処理
本発明における第２の発光調整処理では、映像内の非表示領域（例えばレターボックス等）の有無に応じて、バックライトの発光を調整する。なお、表示装置の構成は図４に示した第１実施例の表示装置の構成と同様である。
図６は本発明における第２の発光調整処理を示すフローチャートである。
図示しない映像再生機から１画面分の映像信号が映像保持部２０及び映像処理部２２に入力される（ステップＳ１０）。映像処理部２２は上記映像信号からレターボックスの有無を検出し、該レターボックスの有無を表す信号を制御部２４に入力する（ステップＳ１１）。ステップＳ１１において、制御部２４にレターボックスがあることを表す信号が入力されれば、制御部２４は全てのＬＥＤを発光するようにバックライト部３０に指示し、バックライト部３０の発光調整部１２（図３）はスイッチＳＷをオンし、全てのＬＥＤ（照射光の強いＬＥＤ１と照射光の弱いＬＥＤ３）を発光させる（ステップＳ１２）。これにより、レターボックスがある映像が入力された場合には、バックライト部３０は図７（Ａ）に示すように動作する。一方、ステップＳ１１において、制御部２４にレターボックスがないことを表す信号が入力されれば、制御部２４は照射光の強いＬＥＤのみを発光するようにバックライト部３０に指示し、バックライト部３０の発光調整部１２はスイッチＳＷをオフし、照射光の強いＬＥＤ１のみ発光させる（ステップＳ１３）。これにより、レターボックスがない映像が入力された場合には、バックライト部３０は図７（Ｂ）に示すように動作する。以降、映像再生機から１画面分の映像信号がないかを判定し（ステップＳ１４）、映像再生機から１画面分の映像信号がなければ、発光調整処理を終了し、映像再生機から１画面分の映像信号があれば、ステップＳ１０〜ステップＳ１３の処理を繰り返す。
【００２３】
上記第２の発光調整処理によれば、映像情報に非表示領域（例えばレターボックス等）があるか検出し、非表示領域があれば、バックライト部３０の全てのＬＥＤを発光させ、非表示領域がなければ、バックライト部３０の照射光の強いＬＥＤのみを発光させるため、非表示領域が含まれる映像に対し、輝度ムラを解消することができ、非表示領域を含まない映像に対しては、消費電力を低減することができる。
【００２４】
（Ｆ）本発明における第３の発光調整処理
本発明における第３の発光調整処理では、１画面内の平均輝度値と映像内の非表示領域（例えばレターボックス等）の有無とに応じて、バックライトの発光を調整する。なお、表示装置の構成は図４に示した第１実施例の表示装置の構成と同様である。
図８は本発明における第３の発光調整処理を示すフローチャートである。
図示しない映像再生機から１画面分の映像信号が映像保持部２０及び映像処理部２２に入力される（ステップＳ２０）。映像処理部２２は上記映像信号から平均輝度値を算出し、この平均輝度値を制御部２４に入力する（ステップＳ２１）。制御部２４はこの平均輝度値が所定値Ｔｈ以上であるか判定する（ステップＳ２２）。この平均輝度値が所定値Ｔｈ以上でなければ、制御部２４は上記映像を暗い映像であると認識し、全てのＬＥＤを発光するようにバックライト部３０に指示し、バックライト部３０の発光調整部１２（図３）はスイッチＳＷをオンし、全てのＬＥＤ（照射光の強いＬＥＤ１と照射光の弱いＬＥＤ３）を発光させる（ステップＳ２３）。一方、ステップＳ２２において、平均輝度値が所定値Ｔｈ以上であれば、映像処理部２２は上記映像信号からレターボックスの有無を検出し、該レターボックスの有無を表す信号を制御部２４に入力する（ステップＳ２４）。ステップＳ２４において、制御部２４にレターボックスがあることを表す信号が入力されれば、上記ステップＳ２３の処理を行い、バックライト部３０の発光調整部１２は全てのＬＥＤを発光させる。ステップＳ２４において、制御部２４にレターボックスがないことを表す信号が入力されれば、制御部２４は照射光の強いＬＥＤのみを発光するようにバックライト部３０に指示し、バックライト部３０の発光調整部１２はスイッチＳＷをオフし、照射光の強いＬＥＤ１のみ発光させる（ステップＳ２５）。以降、映像再生機から１画面分の映像信号がないかを判定し（ステップＳ２６）、映像再生機から１画面分の映像信号がなければ、発光調整処理を終了し、映像再生機から１画面分の映像信号があれば、ステップＳ２０〜ステップＳ２５の処理を繰り返す。
【００２５】
上記第３の発光調整処理では、バックライト部３０は明るい、かつレターボックスがない映像が入力された場合には照射光の強いＬＥＤのみ発光させ、それ以外の映像が入力された場合には全てのＬＥＤを発光させるため、明るい、かつレターボックスがない映像に対して消費電力を低減することができ、それ以外の映像に対して輝度ムラを解消することができる。
【００２６】
（Ｇ）本発明における発光調整処理の変形例
上記第２の発光調整処理では、映像信号からレターボックスを検出した場合、全てのＬＥＤを発光させたが、図９に示すように、レターボックスに対応する領域で全てのＬＥＤを発光させ、レターボックスに対応しない領域で照射光の強いＬＥＤ１のみを発光させるように制御することもできる。これにより、１映像について、部分的に発光調整を行うことができ、非表示領域では輝度ムラを解消し、非表示領域ではない領域では消費電力を低減することができる。
【００２７】
その他、表示装置の構成や制御手順等についても、特許請求の範囲に記載された本発明の要旨の範囲内において、種々の変形・変更が可能である。
【図面の簡単な説明】
【００２８】
【図１】本発明の概略図である。
【図２】ＬＣＤを照射するバックライトの構成を説明する分解図である。
【図３】本発明におけるバックライトの回路例を示す回路構成図である。
【図４】本発明における表示装置の構成図である。
【図５】本発明における第１の発光調整処理を示すフローチャートである。
【図６】本発明における第２の発光調整処理を示すフローチャートである。
【図７】本発明における第２の発光調整処理のＬＥＤ発光状態を示す図である。
【図８】本発明における第３の発光調整処理を示すフローチャートである。
【図９】本発明における発光調整処理の変形例のＬＥＤ発光状態を示す図である。
【図１０】従来のバックライトの概略図である
【図１１】第１の従来技術のバックライトの概略図である。
【図１２】第２の従来技術のバックライトのＬＥＤ発光状態を示す図である。
【符号の説明】
【００２９】
ＬＥＤ１…照射光の強いＬＥＤ
ＬＥＤ３…照射光の弱いＬＥＤ
ＳＷ…スイッチ
１０…平面光源ユニット
１２…発光調整部
２２…映像処理部
２４…制御部
２８…ソースドライバ
３０…バックライト部
３２…ゲートドライバ
３４…ＬＣＤ
【図１】
2007225871.tif 000003
【図２】
2007225871.tif 000004
【図３】
2007225871.tif 000005
【図４】
2007225871.tif 000006
【図５】
2007225871.tif 000007
【図６】
2007225871.tif 000008
【図７】
2007225871.tif 000009
【図８】
2007225871.tif 000010
【図９】
2007225871.tif 000011
【図１０】
2007225871.tif 000012
【図１１】
2007225871.tif 000013
【図１２】
2007225871.tif 000014